(57)【要約】【課題】高い機密性を有すると共に簡便に構築することができる情報処理装置の認証システムを提供することを課題とする。【解決手段】カード２の表面に認証データＡを表すバーコード３が表示されており、このカード２を権限所有者が所持している。権限所有者がカード２のバーコード３を在庫管理コンピュータ１のバーコードリーダー４で読み込ませると、在庫管理コンピュータ１はメモリ５から予め格納されている照合用データＢを呼び出し、バーコードリーダー４で読み込んだ認証データＡと照合用データＢとを照合する。照合の結果、認証データＡが照合用データＢに一致する場合には、在庫管理コンピュータ１は権限所有者であることを認証し、ログインを行い、これにより権限所有者が在庫管理システムの設定やメンテナンス等の機能を実行することが可能なモードとなる。【選択図】図１
2006004336.tif 000002
【特許請求の範囲】
【請求項１】
バーコードリーダーによりバーコードを読み込んで情報の授受を行う情報処理装置に対して機能実行の権限を有する権限所有者を認証するための認証システムにおいて、
権限所有者は認証データを表すバーコードが表示された携帯物を所持すると共に携帯物のバーコードを情報処理装置のバーコードリーダーで読み込ませ、
情報処理装置はバーコードリーダーで読み込んだバーコードの認証データを予め格納されている照合用データと照合することにより権限所有者であることを認証する
ことを特徴とする情報処理装置の認証システム。
【請求項２】
情報処理装置に既設のバーコードリーダーにより前記携帯物のバーコードの読み込みを行う請求項１に記載の情報処理装置の認証システム。
【請求項３】
前記携帯物は、プラスチック製のカードである請求項１または２に記載の情報処理装置の認証システム。
【請求項４】
前記携帯物は、個人ＩＤカードである請求項３に記載の情報処理装置の認証システム。
【請求項５】
自動倉庫の在庫管理システムに使用され、荷物の品番等の読み取りのために前記在庫管理システムの情報処理装置に備え付けられたバーコードリーダーを利用する請求項２に記載の情報処理装置の認証システム。
【発明の詳細な説明】
【技術分野】
【０００１】
この発明は、情報処理装置の認証システムに係り、特に情報処理装置に対して機能実行の権限を有する権限所有者を認証するためのシステムに関する。
【背景技術】
【０００２】
従来、自動倉庫の在庫管理システム等では、情報処理装置としての在庫管理コンピュータにおけるシステムの設定や在庫データのメンテナンス等、所定の権限所有者が実行する必要がある機能については、キーボード等によるパスワードの入力や、特許文献１に開示されているような個人ＩＤカードからのＩＤの読み込み等を行い、そのパスワードまたはＩＤと在庫管理コンピュータに予め格納されている照合用のデータとを照合することにより権限所有者の認証を行っている。
【０００３】
【特許文献１】特開平１０−９１２６６号公報
【発明の開示】
【発明が解決しようとする課題】
【０００４】
しかしながら、上述のパスワード入力による認証方法では、パスワードが漏洩すると、権限所有者以外の人でも容易に機能実行が可能になり、機密性が低いという問題があった。
また、特許文献１のような個人ＩＤカード読み込みによる認証方法でも、ＩＤが漏洩すると、漏れたＩＤに基づいて容易に個人ＩＤカードを複製することができ、パスワード入力による方法と同様に機密性が低いという問題があった。
また、個人ＩＤカードを用いる場合には、在庫管理コンピュータ等に専用のＩＤ読み取り部等の構成を新たに追加する必要があり、複雑な構成になると共に設備費が嵩んでしまう。
【０００５】
この発明はこのような問題点を解消するためになされたもので、高い機密性を有すると共に簡便に構築することができる情報処理装置の認証システムを提供することを目的とする。
【課題を解決するための手段】
【０００６】
この発明に係る情報処理装置の認証システムは、バーコードリーダーによりバーコードを読み込んで情報の授受を行う情報処理装置に対して機能実行の権限を有する権限所有者を認証するための認証システムにおいて、権限所有者は認証データを表すバーコードが表示された携帯物を所持すると共に携帯物のバーコードを情報処理装置のバーコードリーダーで読み込ませ、情報処理装置はバーコードリーダーで読み込んだバーコードの認証データを予め格納されている照合用データと照合することにより権限所有者であることを認証するものである。
【０００７】
携帯物に認証データを表すバーコードが表示されると共にこの携帯物を権限所有者が所持しており、権限所有者が携帯物のバーコードを情報処理装置のバーコードリーダーで読み込ませると、情報処理装置は予め格納されている照合用データを呼び出し、バーコードリーダーで読み込んだ認証データと照合用データとを照合し、照合の結果、認証データが照合用データに一致する場合に、情報処理装置は権限所有者であることを認証する。
【０００８】
情報処理装置に既に備え付けられているバーコードリーダーを用いて携帯物のバーコードの読み込みを行うことが好ましい。例えば、自動倉庫の在庫管理システムに使用され、荷物の品番等の読み取りのためにこの在庫管理システムの情報処理装置に備え付けられたバーコードリーダーを利用することができる。
携帯物は、プラスチック製のカードから形成することが好ましい。この携帯物として個人ＩＤカードを用いることができる。
【発明の効果】
【０００９】
この発明によれば、権限所有者は認証データを表すバーコードが表示された携帯物を所持すると共に携帯物のバーコードを情報処理装置のバーコードリーダーで読み込ませ、情報処理装置はバーコードリーダーで読み込んだバーコードの認証データを予め格納されている照合用データと照合することにより権限所有者であることを認証するようにしたので、権限所有者であることを証明する認証データがバーコード表示されることにより、そのデータが漏洩しにくいだけでなく、データが漏洩しても複製することは難しいため、高い機密性を確保することができる。また、バーコードシステムを有する情報処理装置に幅広く適用され、これにより簡便にシステムを構築することができる。
【発明を実施するための最良の形態】
【００１０】
以下、この発明の実施の形態を添付図面に基づいて説明する。
図１に自動倉庫の在庫管理システムに適用された、この発明の実施の形態に係る情報処理装置の認証システムを示す。この認証システムは、情報処理装置としての在庫管理コンピュータ１に対して在庫管理システムの設定や在庫データのメンテナンス等、所定の権限所有者が行う必要のある機能を実行する際に、権限所有者であることを認証するためのものである。この認証システムでは、権限所有者が所持するためのプラスチック製のカード２が設けられており、カード２の表面にバーコード３が表示されている。このバーコード３は権限所有者であることを証明するための情報である認証データＡを表している。
【００１１】
また、在庫管理コンピュータ１には、バーコード３からデータを読み込むためのバーコードリーダー４が取り付けられている。また、在庫管理コンピュータ１は、バーコード３により表されている認証データＡと同一の照合用データＢが格納される共にデータの照合を行って認証するための認証プログラムが格納されたメモリ５を有している。
【００１２】
次に、図２のフローチャートを参照してこの実施の形態に係る情報処理装置の認証システムの動作について説明する。権限所有者はバーコード３が表示されたカード２を所持している。権限所有者が在庫管理コンピュータ１において在庫管理システムの設定やメンテナンス等の機能を実行する際に、ステップＳ１でカード２のバーコード３を在庫管理コンピュータ１のバーコードリーダー４で読み込ませると、ステップＳ２で在庫管理コンピュータ１は、メモリ５から予め格納されている照合用データＢを呼び出す。次にステップＳ３で、在庫管理コンピュータ１はバーコードリーダー４で読み込んだ認証データＡと照合用データＢとを照合する。
【００１３】
照合の結果、認証データＡが照合用データＢに一致する場合には、在庫管理コンピュータ１は権限所有者であることを認証し、ステップＳ４でログインを行い、これにより権限所有者が在庫管理システムの設定やメンテナンス等の機能を実行することが可能なモードとなる。
一方、認証データＡが照合用データＢと異なる場合には、権限所有者ではないと判断して、ログインを行うことなく、ステップＳ５で在庫管理コンピュータ１のモニタにエラー表示等を行う。
【００１４】
以上のように、権限所有者であることを証明する認証データＡはバーコード表示されるため、そのデータが漏洩しにくいだけでなく、データが漏洩しても複製することは難しいため、高い機密性を確保することができる。
また、一般に、自動倉庫の在庫管理システムでは、自動倉庫に入出庫される荷物の品番を在庫管理コンピュータに入力する際の入力ミス等を防止するために、その品番等が記載されたバーコードをバーコードリーダー４で読み取る方式がとられている。したがって在庫管理コンピュータ１にはバーコードリーダー４が備え付けられている。この発明の認証システムでは、このような既設のバーコードリーダー４を利用して、権限所有者であることを証明する情報であるバーコード３の認証データＡを読み取ることができるため、単純な構成となると共に設備費も低く抑えられ、これにより簡便にシステムを構築することができる。
【００１５】
なお、図２のステップＳ４でログインした後に通常のモードに戻る場合には、ログアウトが選択されたときに戻る、或いはメニュー画面に戻ったときに自動的に戻るように構成することができる。
【００１６】
なお、上述の実施の形態において、バーコード３により表される認証データＡの内容はカード２に記載しないことが好ましい。
また、バーコード３は、印刷したシート等をカード２に貼り付けたり、カード２表面に直接印刷するなどして表示することができる。
【００１７】
また、上述の実施の形態のように、バーコード３はプラスチック製のカード２に表示されているため、高い耐久性を有すると共に権限所有者が容易に携帯することができる。
また、個人ＩＤカードにバーコード３を表示して用いることもできる。このようにすれば、通常携帯している個人ＩＤカードだけで、個人ＩＤの確認及び権限所有者の認証の双方を行うことができると共に、携帯する必要のあるカードの枚数を削減することもできる。
またバーコード３は、カードだけでなく、権限所有者が携帯可能な物に表示して用いることができる。
【００１８】
また、在庫管理コンピュータ１は、漏洩したコードを権限所有者以外の人がキーボードで入力してログインすることなどを防止するため、キー入力で代用できないような構成を有することが好ましい。
また、機密性強化のため、バーコード３のコード種類を特殊なものに選定すると共に、バーコードリーダー４は、自動倉庫へ入出庫される荷物の品番予約作業等、通常の運用で使用されているコード種類と、認証データＡを表すバーコード３のコード種類だけを読み込めるように設定されていることが好ましい。
【００１９】
また、バーコード３のチェックディジットを通常使用されない特殊な計算式に選定することが好ましい。さらに、この場合、チェックディジットの桁数を２桁以上とすることが好ましい。このようにすることにより、バーコード３の認証データＡが他のバーコードシステムでは容易に読み込めないようになり、その結果、複製が抑制されて機密性をより向上させることができる。
また、在庫管理コンピュータ１のメモリ５に予め格納されている照合用データＢについても、上述したバーコード３と同様に、特殊な計算式に選定されたチェックディジットを使用することが好ましく、これにより在庫管理コンピュータ１から照合用データＢが漏洩しても容易に複製できないようにし、機密性をさらに向上させることができる。
【００２０】
また、認証データＡとしては、パスワードや、ＩＤ等の情報をバーコード３により表すことができる。また、操作レベルに応じて異なる複数のパスワード等を設定することもできる。
また、在庫管理コンピュータ１は、バーコードリーダー４によりバーコード３を読み込んだ際に、そのときの日時や、どの権限所有者により機能が実行されたか等を記録するように構成することもできる。
【００２１】
なお、この発明の認証システムは、上述の実施の形態のような自動倉庫の在庫管理コンピュータ１に限らず、バーコードシステムを有する情報処理装置に幅広く適用することができる。
【図面の簡単な説明】
【００２２】
【図１】この発明の実施の形態に係る情報処理装置の認証システムを示す図である。
【図２】実施の形態における認証システムの動作を示すフローチャートである。
【符号の説明】
【００２３】
１  在庫管理コンピュータ、２  カード、３  バーコード、４  バーコードリーダー、５  メモリ。
【図１】
2006004336.tif 000003
【図２】
2006004336.tif 000004